(57)【特許請求の範囲】
【請求項１】
キュービクル内部において作業員を感電事故から保護すべく張設される絶縁シートを固定する絶縁シート取付工具であって、
対向する一対の挟持部と，この一対の挟持部の間隔を可変とするための調整具と，を備えて前記絶縁シートを挟持する一対の平行する平板から成る固定部材と、
その側端面において前記固定部材の一端を支持する支持体と、
前記固定部材に延設され，調節部を有して長さを調節可能に構成されるベルトと、を備え、
前記支持体は、前記側端面から前記固定部材が挿入される空間を有し、
この空間は、支持軸が設けられ、
この支持軸の周囲には、前記一対の平板に対し、それらの間隔を拡げる方向へ付勢するバネが取り付けられ、
前記キュービクル内部の構造物に締着されることを特徴とする絶縁シート取付工具。
【請求項２】
前記挟持部は、対向する面のいずれにも突起を備えるか又は面の一方に凸部，他方の面に凹部を備えることを特徴とする請求項１記載の絶縁シート取付工具。
【請求項３】
前記ベルトは、係着部材を備え，この係着部材を介して前記キュービクル内部の構造物に係着されることを特徴とする請求項１又は請求項２記載の絶縁シート取付工具。
【請求項４】
前記固定部材と前記ベルトとは、いずれも絶縁体から構成されたことを特徴とする請求項１乃至請求項３のいずれか１項に記載の絶縁シート取付工具。
【発明の詳細な説明】
【技術分野】
【０００１】
本発明は、変電所等の屋外に設置され、保護リレー、制御リレーあるいは配電盤の他、高電圧機器等が格納されるキュービクル内部において作業員を感電事故から保護すべく張設される絶縁シートを固定する絶縁シート取付工具に係り、特に、絶縁シートを挟持する固定部材と長さを調節可能なベルトを備えた絶縁シート取付工具に関する。
【背景技術】
【０００２】
従来、キュービクル内部は省スペースで設計されているため、作業や点検で立ち入る場合、作業員が設置された高電圧機器や高圧線に接触する危険性が高かった。これを回避するため、高電圧機器等と作業員との間に絶縁シート等の防護具を設けることが行われてきた。絶縁シートを使用する場合には、これを直接高電圧機器等へ被せ、さらに絶縁ハサミ等を用いてこれらの機器へ固定する手段が取られてきた。
しかし、絶縁ハサミでは、その挟持力不足からハサミの脱落や取付位置のズレが発生し、その結果絶縁シートの脱落等が発生して高電圧部分が露出するといった課題があった。また、高電圧機器等における絶縁ハサミの取付位置が限定され、絶縁シートの固定が容易でないといった課題もあった。
そこで、このような課題を解決する目的で、近年、シートの取付具に関する技術が開発されており、それに関して既にいくつかの発明が開示されている。なお、これらの技術は絶縁シートに限定されていないものである。
【０００３】
特許文献１には「日除けシートの張装方法および日除けシート用織編物シート」という名称で、日除けシートの張装方法等に関する発明が開示されている。さらに、日除けシートの張装に用いられる掛止め具に関する発明が開示されている。
以下、特許文献１に開示された発明について説明する。特許文献１に開示された日除けシートの掛止め具に関する発明は、日除けシートの角部等に設けられたハトメに取り付ける日除けシートの掛止め具であって、Ｕ字状の金属バネ板と、金属バネ板の一方に取り付けられ，半球状頭部を有する掛け首材と、金属バネ板の他方に穿設され，掛け首材を挿入して掛止するダルマ形掛穴と、から構成されることを特徴とする。
このような特徴を備えた掛止め具においては、日除けシートの角部等が外方に引っ張られ、取付支柱や取付棒材等の固定部分にストレッチ状態で張装されるという作用を有する。よって、風に煽られる恐れがなく安定して日除けシートを張装することができる。また、ワンタッチで日除けシートの取り付けや取り外しをすることができる。
【０００４】
次に、特許文献２には「安全ネット張設金具」という名称で、安全ネットを張設する取付対象物の固定箇所に固定する張設金具に関する発明が開示されている。
特許文献２に開示された発明は、安全ネットを係止する係止部が設けられ，略コ字状に形成した金具本体と、この金具本体の遊離両端部の一側端部に螺着された第一締付ボルトと、他側端部に螺着され，第一締付ボルトの長さ寸法より短く設定された第二締付ボルトと、を備えたことを特徴とする。
このような特徴を有する安全ネット張設金具においては、第一締付ボルトの先端部を第二締付ボルトの先端部に接近させることにより、取付対象物が挟持締付固定されるという作用を有する。逆に、第二締付ボルトを緩めることで挟持締付固定が解除されるという作用を有する。従って、固定時及び固定解除時のいずれにおいても容易に作業を行うことができる。しかも、第二締付ボルトの長さ寸法は第一締付ボルトの長さ寸法より短いため、第一締付ボルトの回動螺動調整だけで取付対象物の固定箇所の異なる厚みに良好に対応することができる。
【０００５】
そして、特許文献３にも、「建築作業用帆布の張り方法及び器具」という名称で、帆布のハト目穴と足場パイプとを結着する連結バンドに関する発明が開示されている。
特許文献３に開示された発明は、長手方向に沿って係止用凹凸が形成されたバンド部と、孔壁に係止用凹凸とバンド引き抜き方向に対してのみ係合する係止歯を備え，バンド部の一端にバンド部の他端を挿入する貫通孔を有するヘッド部と、このヘッド部に係止歯の係合を解除する外方へ延伸したロック解除操作部と、を備えたことを特徴とする。
このような特徴を有する連結バンドにおいては、連結バンドの他端を一端のヘッドの貫通孔に挿入すると、バンド抜け方向には係止歯が凹凸と係合して移動できず、帆布と足場部材とが連結されるという作用を有する。さらに、連結バンドの挿入された他端を引っ張ると、連結バンドは締め付けられる。逆に、ロック解除操作部を引っ張ると貫通孔からバンドが引き抜かれて連結バンドが緩められる。従って、帆布の張り作業を簡単に行うことができ、作業の時間・手間が減少できる。
【先行技術文献】
【特許文献】
【０００６】
【特許文献１】特開２００６−２３７９号公報
【特許文献２】特開２００６−３３６３７２号公報
【特許文献３】特開平７−１８８７６号公報
【発明の概要】
【発明が解決しようとする課題】
【０００７】
特許文献１に開示された発明においては、金属バネ板の取付支柱等への取付手段に関して具体的記載がされておらず、例えばその長さが調節可能であるとの記載がされていない。よって、取付手段の長さが調節できない可能性が高いと思われる。このような場合、日除けシートの大きさによってはシートが適切に張設されないおそれがある。さらに、一旦張設された後においても、シートのズレや緩み等に対して速やかに対応できないことが考えられる。また、取付支柱等への掛止め具の取付位置が限定されている場合には、同様にシートを適切な位置に張設することが困難な可能性がある。
【０００８】
次に、特許文献２に開示された発明においては、金具本体と係止部とは一体的に形成され、係止部は金具本体から独立した回動運動等をすることができない構造となっている。そのため、建築物の骨組材に金具本体を固定すれば係止部もこれに伴う位置に固定されることとなる。よって、安全ネットも骨組材の方向に従って張設されるのみであり、所望する方向に設置できない場合には不便であることが考えられる。
【０００９】
さらに、特許文献３に開示された発明においては、ハト目穴が設けられていないシートを張設することができないため、用途が限定されている。また、連結バンドはプラスチックで形成されており、強度が十分でない可能性がある。従って、機材等が接触した場合に連結バンドが切断されてシートが飛散する危険性がある。
【００１０】
本発明は、このような従来の事情に対処してなされたものであり、簡易な構成を備え、絶縁シートをキュービクル内部の所望する位置に確実かつ容易に張設・取り外しすることができる絶縁シート取付工具を提供することを目的とする。
【課題を解決するための手段】
【００１１】
上記目的を達成するため、請求項１記載の発明に係る絶縁シート取付工具は、    キュービクル内部において作業員を感電事故から保護すべく張設される絶縁シートを固定する絶縁シート取付工具であって、対向する一対の挟持部と，この一対の挟持部の間隔を可変とするための調整具と，を備えて絶縁シートを挟持する一対の平行する平板から成る固定部材と、その側端面において固定部材の一端を支持する支持体と、固定部材に延設され，調節部を有して長さを調節可能に構成されるベルトと、を備え、支持体は、側端面から固定部材が挿入される空間を有し、この空間は、支持軸が設けられ、この支持軸の周囲には、一対の平板に対し、それらの間隔を拡げる方向へ付勢するバネが取り付けられ、キュービクル内部の構造物に締着されることを特徴とする。
このような構成の絶縁シート取付工具においては、対向する一対の挟持部の間間に絶縁シートを挿入した後、調整具を操作してその間隔を狭めることで絶縁シートが挟持部に挟持される。その状態において再び調整具を操作して挟持部の間隔を拡げると、絶縁シートが取り外される。このように調整具は、一対の挟持部の間隔を所望する幅に調整するばかりでなく、その幅に一時固定することが可能な構造であって、例えば締付ボルトが考えられる。
また、「固定部材に延設され」たベルトとは、固定部材における挟持部の反対端に延設されたベルトをいう。このベルトの調節部を操作することで、固定部材とキュービクル内部の構造物との距離が短縮・拡大されるという作用を有する。なお、「延設」にはベルトが固定部材と直接接続されている場合のみならず、これ以外の部材を介して接続されている場合も含まれる。
さらに、絶縁シート取付工具がキュービクル内部の構造物に締着されるため、絶縁シートが挟持部に挟持され、かつ固定部材とキュービクル内部の構造物との距離が短縮されると、絶縁シートはキュービクル内部の構造物に張設されるという作用を有する。なお、キュービクル内部の構造物とは、高電圧機器等以外の物をいい、例えばキュービクル内壁面に突出したフレームや柱構造等を指す。
【００１２】
次に、請求項２記載の発明に係る絶縁シート取付工具は、請求項１記載の絶縁シート取付工具において、挟持部は、対向する面のいずれにも突起を備えるか又は面の一方に凸部，他方の面に凹部を備えることを特徴とする。
このような構成の絶縁シート取付工具においては、請求項１記載の発明の作用に加えて、突起又は凸部，凹部が設けられていることから、絶縁シートが挟持部に挟持された場合、突起等を有しない場合と比較して突起等を有する場合は、突起等による絶縁シートに対する圧力が局所的に増大すると共に絶縁シートに対する摩擦力が増大する。従って、絶縁シートは、より強固に挟持部に挟持されるという作用を有する。なお、挟持部の対向する面に備えられた突起同士の位置は、必ずしも符合する位置に備えられなくても良い。また凸部，凹部同士の位置は、符合する位置に備えられることが望ましい。
【００１３】
さらに、請求項３記載の発明に係る絶縁シート取付工具は、請求項１又は請求項２記載の絶縁シート取付工具において、ベルトは、係着部材を備え，この係着部材を介してキュービクル内部の構造物に係着されることを特徴とする。
このような構成の絶縁シート取付工具においては、請求項１又は請求項２に記載の発明の作用に加え、ベルトに備えられた係着部材をキュービクル内部の構造物に係着させることで、絶縁シート取付工具全体をキュービクル内部の構造物に係着することが可能となり、その結果絶縁シートはキュービクル内部の構造物によって支持されるという作用を有する。なお、「係着部材」とは、係止または装着可能な部材であり、例えば前者ではフック状といった開構造を備えて着脱容易なものが考えられ、後者ではリング状といった一旦取り付けた場合には容易に外れない閉構造を備えて専ら固定することを目的としたものが考えられる。
【００１４】
そして、請求項４記載の発明に係る絶縁シート取付工具は、請求項１乃至請求項３のいずれか１項に記載の絶縁シート取付工具において、固定部材とベルトとは、いずれも絶縁体から構成されたことを特徴とする。
このような構成の絶縁シート取付工具においては、請求項１乃至請求項３のいずれか１項に記載の発明の作用に加えて、固定部材とベルトに対して通電又は放電しないという作用を有する。
【発明の効果】
【００１５】
本発明の請求項１記載の絶縁シート取付工具によれば、調整具の操作により絶縁シートを挟持又は取り外しすることができるので、絶縁シートの脱着が容易である。また、調整具は、一対の挟持部の間隔を一時固定することが可能な構造であることから、挟持部の間隔を狭めた状態のままにしておくと、絶縁シートが挟持部に強固に挟持された状態を維持できるため、絶縁シートを確実に保持可能である。従って、作業時間中、作業員が高電圧機器等に接触することを防止することができる。なお、絶縁シートの縁部には係止用の孔を設ける必要がないので、孔の有無にかかわらずどのような絶縁シートでも用いることができる。
また、固定部材とキュービクル内部の構造物との距離を調節することができるので、キュービクル内部の所望する位置に絶縁シートを張設することが可能である。また、同時に絶縁シート面の張り具合を調節できることから、そのたるみ等を容易に矯正することが可能である。従って、絶縁シートの最大面積を有効に利用することができるので、作業員の安全をより確保することが可能である。
さらに、絶縁シートはキュービクル内部の構造物に張設されることから、絶縁シートが高電圧機器等に直接被せられているといった危険な状態を回避することができる。
加えて、絶縁シート取付工具は、挟持部と，調整具と，を備える固定部材と、調節部を有するベルトと、から構成され簡易な構造であるため、容易かつ低コストでの製造や導入が可能である。
【００１６】
本発明の請求項２記載の絶縁シート取付工具によれば、請求項１記載の発明の効果に加えて、突起を備えることで絶縁シートがより強固に挟持部に挟持されるため、例えば絶縁シートに作業員が接触した場合など、絶縁シートが局所的に強く引っ張られた場合においても、絶縁シートが挟持部から外れることを防止することができる。
【００１７】
本発明の請求項３記載の絶縁シート取付工具によれば、請求項１又は請求項２に記載の発明の効果に加えて、絶縁シートはキュービクル内部の構造物に取り付けられることとなるため、絶縁ハサミを用いて高電圧機器等に固定する場合のような張設の不安定さがない。また、ベルトを締着して絶縁シートを固定する場合の他に、係着部材を用いた固定も可能であることから、キュービクル内部の構造物に対応させて固定方法を選択することが可能である。
さらに、係着部材が着脱容易である場合には、一旦絶縁シートを張設してさらに移動する際に、係着部材の位置を移動させるのみで足りる。従って、その都度挟持部を操作して絶縁シートを新たな位置に張設し直す必要がないので、作業の手間をより省くことができる。一方、専ら固定を目的とした係着部材の場合には、キュービクル内部の構造物から不意に係着部材が落下するといった不具合はほとんど発生しないことから、感電事故の発生を確実に防止することができる。また、頻繁に立入るキュービクル内部には常時絶縁シートを張設しておくことも考えられ、このような場合には、長期間に亘って安定的に張設することが可能である。
【００１８】
本発明の請求項４記載の絶縁シート取付工具によれば、請求項１乃至請求項３のいずれか１項に記載の発明の効果に加えて、固定部材とベルトに対して通電等しないことから、絶縁シート取付工具を高電圧機器等に接近させた場合にも、これを安全に使用することができる。
【図面の簡単な説明】
【００１９】
【図１】（ａ）及び（ｂ）は、それぞれ実施例に係る絶縁シート取付工具の正面図及び側面図である。
【図２】（ａ）及び（ｂ）は、それぞれ実施例に係る絶縁シート取付工具の正面図及び断面図である。
【図３】は、実施例に係る絶縁シート取付工具の側面図である。
【図４】は、実施例に係る絶縁シート取付工具の使用状態図である。
【発明を実施するための形態】
【実施例】
【００２０】
本発明の実施の形態に係る実施例の絶縁シート取付工具について、図１乃至図４を用いて詳細に説明する。
図１（ａ）及び図１（ｂ）は、それぞれ実施例に係る絶縁シート取付工具の正面図及び側面図である。
図１（ａ）及び図１（ｂ）に示すように、本実施例の絶縁シート取付工具１は、一対の平行する平板２ａ，２ｂから成る固定部材２と、側端面４ａにおいて固定部材２の一端を支持する支持体４と、一対の平行する平板７ａ，７ｂから成り，側端面４ａと反対側の側端面４ｂにおいて一端が支持体４に支持されるベルト接続部７と、一端が平板７ａ，７ｂの間に挟まれ接続されるベルト３と、ベルト３の他端に取り付けられたフック１０と、から構成される。
固定部材２において支持体４に支持されていない端部は、開放されて絶縁シート１５（図３参照）を挟持可能な挟持部５となっている。そして、側端面４ａ付近には、締付ボルト６が一対の固定部材２を貫通して設けられる。さらに、挟持部５と側端面４ａの間には、合計３個からなる半球状の突起１１ａ，１１ｂが固定部材２と一体化して形成されている。このうち平板２ａには１個の突起１１ａ、平板２ｂには２個の突起１１ｂが、互いに対向する方向に突出している。絶縁シート１５（図３参照）を挟持する際は、突起１１ａと突起１１ｂとの間に挿入される。
また、側端面４ｂ付近のベルト接続部７には、ベルト固定ボルト８がこれを貫通して設けられる。同時にベルト固定ボルト８は、ベルト３をも貫通している。なお、ベルト３と平板７ａ及びベルト３と平板７ｂとの間には、それぞれワッシャー８ａ，８ａが設けられている。
このように、固定部材２とベルト３とは、支持体４及びベルト接続部７を介して接続され、一体化されている。
【００２１】
次に、ベルト３は２片から構成され、これらはベルト固定ボルト８と開放部を有するフック１０の間においてバックル９を介して連結されている。バックル９からは、フック１０に連なる他にもベルト端部３ａが派出しており、このベルト端部３ａを引っ張ったり緩めたりして動かすことでベルト３の長さが調節される構造となっている。なお、図中Ｘ方向に引っ張るとベルト３の長さは短縮され、逆方向に押し込むとベルト３は伸長する。
なお、絶縁シート取付工具１を構成する固定部材２、ベルト３、支持体４、締付ボルト６、ベルト接続部７、ベルト固定ボルト８、ワッシャー８ａ，８ａ、バックル９及びフック１０は、いずれも絶縁性材から成る。このうち、ベルト３は合成繊維等から成り、高い引張強度を有していることが望ましい。これ以外の固定部材２等は、高い剛性を有していることが望ましい。さらに、フック１０以外にも、開閉構造又は閉構造を有するリング等の係止部材又は係着部材を使用しても良い。
また、図１（ｂ）においては、締付ボルト６及びベルト固定ボルト８に対してナットやワッシャー等の部材が示されていないものの、もちろんこれらをさらに用いて締結するようにしてもよい。
さらに、突起１１ａ，１１ｂの個数は図１（ｂ）に示されている数に限定するものではなく、絶縁シートを確実に固定するために必要な個数を適宜選択して採用するとよい。また、その形状も突起に限定するものではなく、例えば平板２ａに凸状の部材を設けつつ、平板２ｂにこの凸状の部材に符合する位置に凹状の部材を設けることで絶縁シートを挟み込み、これによって絶縁シートに対する圧力を局所的に増大させると共に絶縁シートに対する摩擦力を増大させて、絶縁シートをより強固に固定してもよい。
【００２２】
図２（ａ）は実施例に係る絶縁シート取付工具の支持体を拡大した正面図であり、図２（ｂ）は図２（ａ）におけるＡ−Ａ線矢視断面図である。なお、図１で示した構成要素については図２においても同一の符号を付して、その説明を省略する。
図２（ａ）に示すように、支持体４は、側端面４ａから固定部材２が挿入される空間１２ａと、側端面４ｂからベルト接続部７が挿入される空間１２ｂと、を有する。空間１２ａにおいては、周囲にバネ１４が取り付けられた支持軸１３ａが、設けられている。また、空間１２ｂにおいては、支持軸１３ｂが、設けられている。なお、支持体４における固定部材２とベルト接続部７との間は中間部４ｃであり、それぞれ固定部材２及びベルト接続部７の端部が当接している。
図２（ｂ）に示すように、支持軸１３ａの両端部は、それぞれ平板２ａ，２ｂを貫通し、支持体４の上面４ｄと下面４ｅとに嵌入する。支持軸１３ｂの両端部も平板７ａ，７ｂを貫通し、同様に支持体４の上面４ｄと下面４ｅとに嵌入する。なお、バネ１４は上面４ｄと下面４ｅに嵌入することなく、平板２ａ，２ｂの間に移動可能に設置される。すなわち、締付ボルト６が締め付けられていない状態では、バネ１４の弾性力により平板２ａ，２ｂは、それぞれ上面４ｄと下面４ｅに押しつけられる。逆に、締付ボルト６が締め付けられる状態では、平板２ａ，２ｂがそれぞれ上面４ｄと下面４ｅから離れ、バネ１４を両端から圧縮する構造となっている。
なお、支持軸１３ａ，１３ｂ及びバネ１４は、いずれも絶縁性材から構成される。
【００２３】
図３は、実施例に係る絶縁シート取付工具が絶縁シートを挟持した場合の側面図である。なお、図１及び図２で示した構成要素については図３においても同一の符号を付して、その説明を省略する。
図３に示すように、固定部材２の挟持部５には、絶縁シート１５の端部が挿入され、平板２ａ，２ｂの間隔が狭められた状態となっている。このときバネ１４は圧縮されることとなる。このためには、バネ１４が少なくとも半球状の突起１１ａ，１１ｂの高さよりも短くなる長さに圧縮可能であることが必要である。
また、ベルト３を取り付けたベルト接続部７においては、ベルト固定ボルト８が締め付けられ、平板７ａ，７ｂがワッシャー８ａ，８ａに圧着した状態となっている。
【００２４】
図４は、実施例に係る絶縁シート取付工具の使用状態図である。なお、図１乃至図３で示した構成要素については図４においても同一の符号を付して、その説明を省略する。
図４に示すように、キュービクル内部１６の床面１６ａに設置された高電圧機器１７の側方に絶縁シート１５が張設されている。絶縁シート１５は、角部全てを絶縁シート取付工具１の挟持部５によって挟持されるとともに、ベルト３を介してフック１０の開放部を壁面１６ｂのフレーム１８の孔１８ａに係止することで張設される。このとき、ベルト端部３ａ（図示せず、図１（ａ）及び（ｂ）参照）を引っ張ってベルト３の長さを短縮することで、絶縁シート１５はたるみ等がない状態となっている。
【００２５】
本実施例の絶縁シート取付工具１によれば、締付ボルト６が締め付けられていない状態においては、バネ１４が平板２ａ，２ｂをそれぞれ上面４ｄと下面４ｅに押しつけることから、平板２ａ，２ｂの間隔が最大に拡大する。この最大間隔は、約２ｃｍであり絶縁シート１５の厚さ（約０．３〜０．５ｃｍ）よりも十分に広いことから、絶縁シート１５がこの間隔に容易に挿入又は取り外されるという作用を有する。さらに、平板２ａ，２ｂが上面４ｄと下面４ｅに押しつけられているので、これらが動いて互いに衝突することが回避される。
次に、締付ボルト６を螺合させて締め付けることにより、平板２ａ，２ｂの間隔が狭められ、絶縁シート１５に突起１１ａ，１１ｂが接触する。このとき、突起１１ａ，１１ｂによる絶縁シート１５に対する圧力が局所的に増大するため、絶縁シート１５における突起１１ａ，１１ｂが圧接した部分の摩擦力が増大する。従って、絶縁シート１５は、突起１１ａ，１１ｂを有しない場合と比較してより強固に挟持部５に挟持されるという作用を有する。
【００２６】
そして、ベルト接続部７において、ベルト固定ボルト８が締め付けられていない状態では、ベルト３はベルト固定ボルト８を中心とする回動運動を行う。次に、ベルト固定ボルト８を螺合させて締め付けることにより、ベルト３がワッシャー８ａ，８ａの間に狭持・固定され、前述の回動運動が抑制される。このとき、ベルト接続部７の長手方向に対するベルト３の長手方向の角度は任意であり、所望する角度においてベルト３が狭持・固定される。なお、ワッシャー８ａ，８ａは必ずしも備えられていなくても良いが、これらを設けることでベルト３の厚さが薄い場合であっても確実にベルト３を狭持・固定可能であるとともに、ベルト３に張力が作用した場合にベルト固定ボルト８が貫通する周囲が破損することを防止可能な構造となっている。
このように、固定部材２及びベルト接続部７に、それぞれ締付ボルト６及びベルト固定ボルト８が設けられているため、絶縁シート１５の挟持・取り外し及びベルト３の狭持・固定は独立して行われるという作用を有する。
また、フック１０を孔１８ａに係止すると、ベルト３、ベルト接続部７、支持体４及び固定部材２も孔１８ａに吊下げられ、フレーム１８に支持される。よって、絶縁シート１５の端部が突起１１ａ，１１ｂの間に挟持されると、絶縁シート１５がフレーム１８を介してキュービクル内部１６の壁面１６ｂに支持される。突起１１ａ，１１ｂに挟持される絶縁シート１５の箇所は特に規定されないが、確実に壁面１６ｂに支持されるために、すべての角部（図４参照）であることが望ましい。
【００２７】
また、ベルト３の回動運動とは無関係に、ベルト端部３ａを引っ張ることでバックル９とフック１０との距離が短縮され、ベルト端部３ａをバックル９に押し込むことでこの距離が伸長されることから、ベルト３の全長が調節される。
従って、フック１０の開放部を孔１８ａに係止した後ベルト３の全長が短縮されると、絶縁シート１５はフレーム１８に支持されてキュービクル内部１６に張設されるという作用を有する。一方、フック１０の開放部を孔１８ａから取り外すことも容易である。ただし、一旦絶縁シート１５を張設後に別の孔１８ａにフック１０を係止し直す場合には、ベルト３の長さがすでに固定されているためフック１０を孔１８ａから取り外すことは困難である。そこで、ベルト端部３ａをバックル９に押し込んでベルト３の全長を伸長させるとフック１０が容易に孔１８ａから取り外される。
【００２８】
以上説明したように、本実施例の絶縁シート取付工具１によれば、平板２ａ，２ｂの最大間隔が絶縁シート１５の厚さよりも十分に広く、絶縁シート１５を容易に挿入又は取り外しできることから、作業が簡便となる。さらに、締付ボルト６を締め付けない場合であっても、平板２ａ，２ｂは互いに衝突しないことから傷付け合うことがない。このため、平板２ａ，２ｂの間に保護部材を挟み込む必要がなく、例えば絶縁シート取付工具１を持ち運ぶ際の梱包作業が不要である。
また、締付ボルト６を締め付けることで、絶縁シート１５に突起１１ａ，１１ｂが圧接するため、強固に挟持することができる。よって、絶縁シート１５が強く引っ張られた場合においても、絶縁シート１５が挟持部５から外れずに挟持された状態を維持することが可能である。従って、作業員や使用器具が絶縁シート１５の一部を強く押してしまった場合でも、必ず絶縁シート１５を介して高電圧機器１７に接近又は接触することとなり安全性が確保される。加えて突起１１ａ，１１ｂは半球形状に突出しており、尖った部分がないことから、挟持によって絶縁シート１５が破損されない。よって、絶縁シート１５が挟持部５内で切断され、突然落下するといった不具合が発生しないという効果を有する。また、絶縁シート１５の挟持・取り外し及びベルト３の狭持は独立して行われることから、例えば絶縁シート１５を挟持したままベルト３のベルト接続部７に対する角度を調節したい場合において、絶縁シート１５も同時に取り外されてしまうということが発生しない。すなわち、絶縁シート１５又はベルト３のいずれかに関する調整を別途に行うことができて好都合である。
【００２９】
次に、ベルト３はフック１０により孔１８ａに係止されることから、確実に絶縁シート１５を壁面１６ｂに張設することができる。よって、絶縁ハサミを用いて高電圧機器１７に固定する場合のような張設の不安定さや危険性がないとともに、作業時間中、作業員が高電圧機器１７に接触することを防止することができる。従って、感電事故から作業員を保護することが可能である。
なお、キュービクル内部１６の構造物として孔１８ａ以外にフックが設置されている場合には、フック１０の代わりに閉構造を有するリング等の係着部材をベルト３に取り付けることで、ベルト３をこのフックに着脱容易に取り付けることができる。また、開閉構造を有するリング等の係止部材をベルト３に取り付けることによれば同様の効果に加えて、孔１８ａであってもリングを開けて閉じることで、より簡単に確実に固定が可能という優れた効果を発揮する。このように、フック１０をその他の係着部材へ適宜変更することができるため、キュービクル内部１６の様々な構造物に対しても十分に対応することが可能である。
【００３０】
また、前述したようにフック１０は孔１８ａに対して着脱容易であるため、一旦絶縁シート１５を張設した後において、フック１０の位置を移動させるだけで絶縁シート１５を張設し直すことが可能となる。従って、締付ボルト６を締緩する手間を省くことができ、作業を一層簡便とすることができる。
加えて、ベルト端部３ａの操作により、ベルト３の全長を所望する長さに容易に調節可能である。従って、フック１０を孔１８ａに係止した後に絶縁シート１５面の張り具合を調節できることから、作業員が高電圧機器１７と接触しない適切な位置に絶縁シート１５を張設することが可能である。
さらに、絶縁シート取付工具１は、固定部材２、ベルト３、支持体４、締付ボルト６、ベルト接続部７、ベルト固定ボルト８、ワッシャー８ａ，８ａ、バックル９及びフック１０、等の特殊な形状でない部材により構成される簡易な構造であるため、容易かつ低コストでの製造や導入が可能である。また、これらの部材は、絶縁性材から成ることから、高電圧機器１７に接近させた場合でも感電事故の発生が回避できる。さらに、絶縁シート１５については、係止用の孔の有無にかかわらず用いることができるので、絶縁シート取付工具１は汎用性が高い。
【００３１】
なお、本発明の絶縁シート取付工具の構造は本実施例に示すものに限定されない。例えば、固定部材２及びベルト接続部７は、それぞれ絶縁シート１５及びベルト３を挟持可能であれば、多少屈曲した平板であっても良い。さらに、一対の挟持部５の先端が内側に屈曲していても良い。また、バックル９の代わりにラチェット部が設けられていても良い。そして、フック１０の代わりに面ファスナをキュービクル内部１６の孔１８ａに通して係止する構造であっても良い。この場合、面ファスナがベルト３の長さを調節する調節部となるため、バックル９は省略されても良い。
【産業上の利用可能性】
【００３２】
請求項１乃至請求項４に記載された発明は、キュービクル内部において作業員を感電事故から保護すべく張設される絶縁シートを固定する絶縁シート取付工具として利用可能である。
【符号の説明】
【００３３】
１…絶縁シート取付工具  ２…固定部材  ２ａ，２ｂ，７ａ，７ｂ…平板  ３…ベルト  ３ａ…ベルト端部  ４…支持体  ４ａ，４ｂ…側端面  ４ｃ…中間部  ４ｄ…上面  ４ｅ…下面  ５…挟持部  ６…締付ボルト  ７…ベルト接続部  ８…ベルト固定ボルト  ８ａ…ワッシャー  ９…バックル  １０…フック  １１ａ，１１ｂ…突起  １２ａ，１２ｂ…空間  １３ａ，１３ｂ…支持軸  １４…バネ  １５…絶縁シート  １６…キュービクル内部  １６ａ…床面  １６ｂ…壁面  １７…高電圧機器  １８…フレーム  １８ａ…孔
【図１】
0005801215.tif 000002
【図２】
0005801215.tif 000003
【図３】
0005801215.tif 000004
【図４】
0005801215.tif 000005